(57)【要約】【課題】本発明は、胸壁を非常に速く振動させて気道掃除を促進して気管支排出を改善するための医療機を提供すること。【解決手段】本発明は、胸壁を非常に速く振動させて気道掃除を促進して気管支排出を改善するための医療機に関する。この医療機の主要要素は空気発振器、空気膨脹ベスト、空気発振器をベストに連結して空気圧と搏動を伝達するための柔軟なホースの３種である。空気発振器は車輪付支持台に設置されており、多くの治療場所間を動かすことができる。支持台には線形リフトがあって、空気発振器の高さを場所と人に合うように調節することができる。空気発振器のハウジングには便利な使用のために制御装置が取りつけてある。ハウジング上にはハンドルが取りつけてあって、ここを手動で空気発振器を移すことができる。支持台上段に連結されたフレームにハウジングが固定されて支持される。フレームの平行した水平部材はプラットホームに連結されて、プラットホームは空気発振器のハウジングの底に結合される。水平部材に連結された直立部材が空気発振器のハウジングの両側に結合される。直立部材から外へ突出するように連結したＵ型ハンドルは支持台と空気発振器を移しやすくする。【選択図】図１
2010540162.tif 000002
【特許請求の範囲】
【請求項１】
人の胸を反復的に圧迫するために人の胸部周囲に配置される胸部治療服に用いられる携帯用人体圧迫器において、
発振器を利用して空気圧振動を起こして、
前記発振器はハウジング、上端部を備えた支持台、支持台上端部に設置されるフレーム、ハウジングをフレームに固定するための締結具、及び圧迫器の移動を容易にするために支持台に連結された底支持部材を含み、
前記胸部治療服は複数の空気室を備えた本体を具備して、
前記本体は胸部治療服を人の胸部周囲に時計方向や反時計方向で維持するために脱付着されるファスナーが両側面にそれぞれ付いている端部、及び発振器を吸気コネクタに連結するホースを具備し、
発振器で生じた空気圧と空気を前記ホースと吸気コネクタを介して空気室に送って胸部治療服を着た人の胸を反復的に圧迫できることを特徴とする圧迫器。
【請求項２】
前記支持台は発振器の高さを調整するための直立ピストン−シリンダーアセンブリと、ピストン−シリンダーアセンブリを支持する脚付ベースを含んで、前記底支持部材は底面における移動を容易にするために脚に付着された輪を含むことを特徴とする請求項１に記載の圧迫器。
【請求項３】
圧迫器の移動のために前記フレームに少なくとも１つのハンドルが付いていることを特徴とする請求項１に記載の圧迫器。
【請求項４】
前記支持台が発振器の高さ調節のためにフレームに連結された伸縮機構を含むことを特徴とする請求項１に記載の圧迫器。
【請求項５】
前記胸部治療服の本体に柔軟な空気不透過部材が付いていて、空気不透過部材の両側にループ部材が結合されていて、このような空気不透過部材が複数の空気室を囲んでおり、これら空気室に空気通路を提供して空気室に空気圧振動を与えるための吸気コネクタが設置され、前記本体の端部の両側面に固定されたフックパッドは前記ループ部材と協働して人の胸部周囲に前記本体を維持することができるが、これらフックパッドとループ部材の結合方向によって胸部治療服を胸部周囲に時計方向や反時計方向で着ることができることを特徴とする請求項１に記載の圧迫器。
【請求項６】
前記本体が複数個のシーム（seam）により３つの空気室に分離されて、吸気口からの空気の流れと空気圧振動を前記３つの空気室に向かって分離する分離器が前記本体内部に設置されることを特徴とする請求項５に記載の圧迫器。
【請求項７】
前記本体が互いに離れて並んで配置された複数個の長いシーム（seam）により複数の長手方向の空気室に分離されて、吸気口からの空気の流れと空気圧振動を前記空気室に向かって分離する分離器が前記本体内部に設置されることを特徴とする請求項５に記載の圧迫器。
【請求項８】
前記本体の上端部に人の腕に一致する輪郭を有する凹部があることを特徴とする請求項１に記載の圧迫器。
【請求項９】
前記本体の空気室から空気を排出させるための複数の穴が本体に形成されたことを特徴とする請求項１に記載の圧迫器。
【請求項１０】
人の胸を反復的に圧迫するために胸部治療服に空気圧を起こす空気発振を具備する携帯用人体圧迫器において、
前記胸部治療服は両側に柔軟な空気不透過部材が付いている本体と、空気不透過部材の両側面に結合されたループ部材を備えていて、このような空気不透過部材が複数の空気室を囲んでおり、これら空気室に空気通路を提供して空気室に空気圧振動を与えるための吸気コネクタが設置され、前記本体の端部の両側面に固定されたフックパッドは前記ループ部材と結合して人の胸部周囲に前記本体を維持することができるが、これらフックパッドとループ部材の結合方向によって胸部治療服を胸部周囲に時計方向や反時計方向で着ることができて、発振器を吸気コネクタに連結するホースがあって、発振器で生じた空気圧と空気を前記ホースと吸気コネクタを介して空気室に送って胸部治療服を着た人の胸を反復的に圧迫できることを特徴とする圧迫器。
【請求項１１】
前記本体が複数個のシームにより３つの空気室に分離されて、吸気口からの空気流れと空気圧振動を前記３つの空気室に向かって分離する分離器が前記本体内部に設置されることを特徴とする請求項１０に記載の圧迫器。
【請求項１２】
前記本体が互いに離れて並んで配置された複数個の長いシーム（seam）により複数の長い空気室に分離されて、吸気口からの空気の流れと空気圧振動を前記空気室に向かって分離する分離器が前記本体内部に設置されることを特徴とする請求項１０に記載の圧迫器。
【請求項１３】
前記本体の上端部に人の腕に一致する輪郭を有する凹部があることを特徴とする請求項１０に記載の圧迫器。
【請求項１４】
前記本体の空気室から空気を排出させるための複数の穴が本体に形成されたことを特徴とする請求項１０に記載の圧迫器。
【請求項１５】
前記フックパッドが本体端部のそれぞれの側面に位置する一対のフックパッドと、これらフックパッド対を本体の端部に固定するファスナーを含むことを特徴とする請求項１０に記載の圧迫器。
【発明の詳細な説明】
【技術分野】
【０００１】
本発明は、血液循環を促進して、肺と気管支から粘液を分離除去し、筋肉と神経の緊張を解くために身体に反復的な圧迫を加えるように胸部治療服と共に作動する携帯用医療機器に関する。
【背景技術】
【０００２】
主に繊毛作用によるくしゃみにより健康な人の気道から痰を含んだ粘液が除去される。正常状態ではこのようなメカニズムが非常に効果的である。正常な繊毛輸送系の損傷や過多な粘液分泌は肺に粘液と破片が溜まり、低酸素血症、高炭酸血症、慢性気管支炎や肺炎のような深刻な合併症を誘発することができる。このような合併症は生活の質を悪化させて、甚だしい場合死因にすらなる。呼吸器粘液を非正常な方法で除去すると百日咳、嚢胞性線維症、無気肺、気管支拡張症、空洞性肺疾患、ビタミンＡ欠乏症、慢性閉鎖肺病、喘息、非運動性繊毛症候群のような症状を起こす。タバコの煙や空気中の汚染物やウイルスに露出しても粘液の機能に悪影響を及ぼす。手術が終わった患者、麻痺した患者、呼吸障害を有する新生児は粘液繊毛輸送力が低下される。
【０００３】
胸部物理治療は長い間の歴史を有し、気道の繊毛輸送力を改善する一般的であって伝統的な治療法として、胸を手で圧迫したり、振動による体位ドレナージ（postural drainage）や、せきや、呼吸と自律排出を数回反復する方法等がある。外部から胸を圧迫したり呼吸訓練法も可能である。粘液除去のための多様な胸部物理治療法を適切に結合して医師は患者毎にこれを適切に処方する。
【０００４】
嚢胞性線維症(CF ; cystic fibrosis）は白色人種間で最も一般的な遺伝病である。遺伝子欠陥は細胞内外の塩素輸送を崩壊させて、外分泌線の粘液の粘度を大幅に高め、結局膵臟、肺、肝臓にある外分泌線を詰まらせる。膵臓腺の崩壊は主要消化酵素の分泌を妨害して臓内問題を起こして、これは栄養失調につながる。また、粘性の粘液は肺の気道に溜まり、慢性感染、瘢痕、肺活量縮小を起こす。正常なせきではこのように粘性の沈着物を排出するのに十分でない。ＣＦは１０歳までの子供、特に幼少期の子供によく見られる。最近までＣＦを患っている子供は１０代まで生きるのが困難であった。しかし、消化酵素補充、抗炎症療法、胸部物理治療法及び抗生剤の発達で、予想寿命が３０歳までのび、患者によっては５０歳またはそれ以上までも伸びた。ＣＦは劣性遺伝子から由来して、これは父母が全てこの遺伝子を有している場合、息子がこの病気を有する確率は２５％であって保有者である確率は５０％であり遺伝的に影響を受けない確率は２５％である。父母両側から突然変異遺伝子を譲り受けた人はこの病気を発現しない。ＣＦが正常に進行されれば胃腸に問題が生じ、成長障害が起き、反復的な肺感染が生じ、呼吸障害で死亡にまで至る。深刻な胃腸症状を経るＣＦ患者もあるけれど、９０％程度の大部分のＣＦ患者は最終的に呼吸障害で倒れる。
【０００５】
ＣＦを患っているほとんど全ての患者は日常的に呼吸障害治療を要する。粘性の高い粘液が肺に溜まれば気道を塞いでバクテリアが集まり、気道感染や慢性炎症に理想的な環境を提供する。このような炎症は肺組織に永久的な瘢痕を生じ、酸素を吸入して生命を維持する肺活量を低下させる。患者が体長が良い時にも感染を予防して肺活量を維持しようとするなら呼吸障害治療をしなければならない。伝統的に看病人は一日１〜４回ＣＰＴ(Chest Physical Therapy)をする。ＣＰＴは患者を１２個位置のうち一つに寝かせたまま患者の胸と肺葉上の背中を手で打つ、あるいはたたく方法である。１２個位置全部から肺の全体を治療しようとするなら吸入療法と共に３０分から４５分間からだをたたかなければならない。ＣＰＴによれば胸部打撲で気道から粘液を分泌させて緩くなった粘液を口に集めて粘液を除去する。分離された粘液を除去しようとするなら結局くしゃみをしなければならない。ＣＰＴは家族等の看病人の助けが必要であるが、そうでなければ看護婦や呼吸治療士の助けが必要である。これはＣＦ患者と看病人双方にとって肉体的に困難な過程である。ＣＰＴは非常に高度で繊細な技術を要し、また看病人が疲労状態になるので、その効果は落ちる。また、看病人が治療に必要となることによって、ＣＦ患者の独立をかなり制限してしまう。
ＣＦを患い、気道クリアランス法を受けなければならず寝台や椅子にいる患者は肺呼吸機能と血液循環のために胸を非常に速く圧迫する圧迫器で治療を受ける。このような圧迫器は患者の上体に着ることができる胸部治療服に連結される。病院・医院や家庭で治療を受ける患者は脱ぎ着が容易で低廉な使い捨て胸部治療服を患者の左側あるいは右側近傍の携帯用圧迫器に選択的に連結することができる。
【０００６】
胸を押したり解いたりする人工呼吸器は肺呼吸機能を補助してＣＦ患者の肺から粘液を分離除去するのに使われてきた。患者の胸に圧迫や振動を与えれば肺と気道の粘液の粘性が低くなって、流動性が増加して肺から除去しやすい。圧迫方法と圧迫装置の一例がＣ．Ｎ．Ｈａｎｓｅｎの米国特許６，５４７，７４９に紹介されたが、ここでは発振器をケースに入れた。ケースに枢動可能に設置されたハンドルは圧迫装置を手で持って容易に動かすために使用される。呼吸障害治療が必要な患者を治療しようとするなら必ず人がケースを運搬しなければならなかった。このような装置は患者の胸部を囲む空気袋が付いたベストを利用する。圧迫装置に用いられるベストがＣ．Ｎ．ＨａｎｓｅｎとＬ．Ｊ．Ｈｅｌｇｅｓｏｎの米国特許６，６７６，６１４に紹介された。ソレノイドやモーター作動式空気バルブ、ベロウ (bellows)、ピストンのような機械要素は規則的だが脈動状に隔壁と袋に圧縮空気を供給するもので当分野に知られている。患者によって治療期間中、空気圧と脈動数を調節するのに手動式制御器を利用する。ＣＦ患者の胸部を囲んだ袋が１秒当たり２５回の頻度で胸部の圧迫と解放を繰り返す。圧迫する時ごとに肺葉を介して空気が押し出されながら気道の表面から分泌物を取りはずして口側に送れば、通常の咳で吐き出せればよい。胸部圧迫装置が下記の米国特許に開示されている。
【０００７】
Ｗ．Ｊ．  Ｗａｒｗｉｃｋ、Ｌ．Ｇ．  Ｈａｎｓｅｎの米国特許４，８３８，２６３および５，０５６，５０５は胸部を囲んだベストが付いた胸部圧迫装置が開示されている。テーブルに置かれたハウジング内にあるモーター駆動ロータリーバルブを介してベスト内に空気が流入し、胸部を圧迫する。ポンプに付いた一対のベロウはＤＣモーターで作動するロッドが付いたクランク軸(crankshaft)に連結される。コントローラでモーターの速度を調節して圧迫数を調節する。患者は換気管の端部分を開閉しながらベストの空気圧を調節する。この圧迫装置は患者を治療するために人が多くの場所を持って移さなければならない。
【０００８】
Ｍ．Ｇｅｌｆａｎｄの米国特許５，７６９，８００は心肺蘇生用ベストが開示されているが、空圧制御器を底にあてて移すために空圧制御器に輪を付けた。
【０００９】
Ｎ．Ｐ．Ｖａｎ  Ｂｒｕｎｔ、ＤＪ  Ｇａｇｎｅの米国特許５，７６９，７９７と６，０３６，６６２は空気発振器が付いた振動形胸部圧迫装置が開示されているが、空気発振器の壁には空気室と隔壁があって、隔壁は空気室に露出される。隔壁とクランク軸に回動可能に連結されたロッドを介してクランク軸が回転する間隔壁に力が伝達される。電気モーターはクランク軸を一定速度で作動させながら移動隔壁を介して生じる空気搏動数を調節する。送風機により空気室に空気が流入しながら空気室の空気圧を維持する。隔壁を動かせて送風機を回転させるモーターは空圧搏動と空気室内の空気圧に合うように調節する。結局モーターの作動速度を調節して搏動数と空気圧を調節する。空気発振器は移動式であってハンドルと一対の輪が取りつけてある。
【先行技術文献】
【特許文献】
【００１０】
【特許文献１】米国特許第６，５４７，７４９号明細書
【特許文献２】米国特許第６，６７６，６１４号明細書
【特許文献３】米国特許第４，８３８，２６３号明細書
【特許文献４】米国特許第５，０５６，５０５号明細書
【特許文献５】米国特許第５，７６９，８００号明細書
【特許文献６】米国特許第５，７６９，７９７号明細書
【特許文献７】米国特許第６，０３６，６６２号明細書
【特許文献８】米国特許出願第２００５／０２３５９８８号明細書
【特許文献９】米国特許出願第６，４８８，６４１号明細書
【特許文献１０】米国特許第５，３６６，２７５号明細書
【発明の概要】
【発明が解決しようとする課題】
【００１１】
本発明は、胸壁を非常に速く振動させて気道掃除を促進して気管支排出を改善するための医療機に関する。
【課題を解決するための手段】
【００１２】
この医療機の主要要素は空気発振器、空気膨脹治療服、空気発振器を胸部治療服に連結して空気圧と搏動を伝達するための柔軟なホースの３種である。空気発振器は車輪付支持台に設置されており、多くの治療場所間を動かすことができる。移動式支持台によって空気発振器はベッドや椅子にいる人の両側近傍に設置することができる。支持台には線形リフトがあって、空気発振器の高さを場所と人に合うように調節することができる。空気発振器のハウジングには便利な使用のために制御装置が取りつけてある。ハウジング上にはハンドルが取りつけてあり、これにより手動で空気発振器を移動させることができる。支持台上段に連結されたフレームにハウジングが固定されて支持される。フレームの平行した水平部材はプラットホームに連結されて、プラットホームは空気発振器のハウジングの底に結合される。水平部材に連結された直立部材が空気発振器のハウジングの両側に結合される。直立部材から外へ突出するように連結したＵ型ハンドルは支持台および空気発振器の移動を容易にする。
【００１３】
胸部治療服の伸長した柔軟な本体に、複数の伸長した空気室が並んで形成される。本体下端に設置された吸気コネクタに連結される柔軟なホースは発振器の出口に解放可能に連結される。本体の一端部両側面にフックパッドが固定されており、それにより時計方向でも反時計方向でも選択的に患者の胸部周囲に治療服を着用することができる。本体外側面に付いているループテクスチャはループパッドと協働して治療服を患者の胸部周囲にしっかりと固定することができる。患者の寝台や椅子の左右側どちらでも治療服の吸気コネクタに連結することができるように治療服を反対に着ることができる。本体の上部には腕の形状の凹部があって患者の上体をさらによく覆うことができる。
【図面の簡単な説明】
【００１４】
【図１】本発明の患者の胸部周囲に位置する治療服がホースによって支持台付き空気発振器に連結されており、支持台付き空気発振器が患者の左側に位置している場合の斜視図。
【図２】本発明の患者の胸部周囲に位置する図１の治療服がホースによって支持台付き空気発振器に連結されており、支持台付き空気発振器が患者の右側に位置している場合の斜視図。
【図３】患者の胸部周囲に位置する図１の胸部治療服を患者が着た状態の部分断面正面図。
【図４】胸部治療服で患者の胸部を圧迫する状態を示している図３の右側部分拡大図。
【図５】図１の胸部治療服の正面断面図。
【図６】図１の胸部治療服の背面断面図。
【図７】図５の７−７線拡大断面図。
【図８】図５の８−８線拡大断面図。
【図９】図１の胸部治療服の吸気部の拡大正面部分断面図。
【図１０】図５の１０−１０線拡大断面図。
【発明を実施するための形態】
【００１５】
図１、２に示された携帯用人体圧迫装置１０は、ハウジング１２が付いた空気発振器１１を含む。発振器１１とハウジング１２は、移動式支持台２９により底面等に支持される。支持台２９によって、呼吸障害治療師と看病人が圧迫装置１０を、呼吸障害治療が必要な患者大人数を収容できる場所と保管場所間を容易に移すことができる。
【００１６】
人体圧迫装置１０は、人の胸を反復的に圧迫して分泌物と粘膜掃除療法を適用するために胸部治療服３０と共に用いられる。呼吸粘膜掃除療法を適用できる疾患としては百日咳、嚢胞性線維症、無気肺、気管支拡張症、空洞性肺疾患、ビタミンＡ欠乏症、慢性閉鎖肺病、喘息、非運動性繊毛症候群がある。手術が終わった患者、麻痺した患者、呼吸障害を有する新生児は粘液繊毛輸送力が低下する。圧迫装置１０は非常に速く胸壁を振動させて粘液繊毛輸送力が低下した人の粘膜と気道の掃除を促進する。高周波圧迫振動は患者の肺と気道を治療する以外にも胸廓を圧迫して、また胸腔内静脈と動脈の血流と心臓を刺激することもする。胸壁の正面と側面と背面を反復的に圧迫すれば粘膜と神経の緊張が緩和される。胸廓の下部は腹腔を形成するが、腹腔は肝臓、脾臓、胃、腎臟のように大きく傷つきやすくて腹部内臓器官を保護するために胸骨の下端まで至る。腹腔には圧迫がほとんど加わらない。
【００１７】
ハウジング１２は、一般的に矩形の部材で、前壁１３と側壁２６、２７が上壁１６に連結される。伸長する上壁１６上にハンドル１８が水平に取りつけてあるアーチ形部材１７を上壁１６の両側部位に連結し、それによりハンドル１８を手動で発振器１１を移動することができ支持台２９に発振器１１を容易に設置することができる。上壁１６に設置された制御盤２３のスクリーン両側には時間調節キー（Key）と周波数調節キー（Key）が位置する。制御盤２３の左側には空圧調節取っ手２４が位置する。調節キー（Key）とスクリーンと取っ手は治療師と圧迫装置１０の使用者に容易に接近できる位置に配置する。発振器１１の作動手段と機能と調節法はＣ．Ｎ．Ｈａｎｓｅｎ、Ｐ．Ｅ．Ｃｒｏｓｓ、Ｌ．Ｔ．Ｈｅｌｇｅｓｏｎの米国特許出願２００５／０２３５９８８に紹介された。Ｃ．Ｎ．Ｈａｎｓｅｎの米国特許出願６，４８８，６４１と６，５４７，７４９には他の発振器が紹介された。
【００１８】
養老院や介護付き住宅、老人保護病院は、呼吸障害治療や胸壁圧迫を必要とする多くの人々を異なる部屋や場所に収容することができる。携帯用圧迫装置１０は手動で所望の場所に移動でき、患者の胸に着せられた胸部治療服３０にホース６１を介して連結することができる。図１、図２に示したように、圧迫装置１０は寝台や椅子にいる患者６０の左側や右側に選択的に位置することができる。
【００１９】
支持台２９は、外向きに伸長した脚３３〜３７を有する基台３２に取り付けられた直立のガス作動式ピストン・シリンダーアセンブリ３１を有する。発振器１１の位置を変えるのに他の種類の線形伸縮機構を用いることもできる。支持面に沿った圧迫装置１０が容易に動くため、脚３３〜３７の両外端に車輪３８を枢動可能に取り付ける。圧迫装置１０を固定位置に固定するために着脱式ブレーキを１つまたは複数の車輪３８に設置する。支持台の一例が米国特許５，３６６，２７５に開示されている。ピストン・シリンダーアセンブリ３１を直線的に伸長可能にし、使用者や治療師が扱いやすい高さに発振器１１を上げる。足で操作するリング状のレバー３９を有する気体調節バルブを用いてピストン・シリンダーアセンブリ３１の伸縮と発振器１１の高さを調節する。発振器１１は最高位値と最低位置間を動かすことができる。レバー３９と気体調節バルブはピストン・シリンダーアセンブリ３１の下端部に連結されて動作する。
【００２０】
平行した水平部材４２、４３が付いたフレーム４１とプラットホーム４４を利用して直立ピストン・シリンダーアセンブリ３１の上にハウジング１２を設置する。ピストン−シリンダーアセンブリ３１の上部部材はプラットホーム４４の中間に固定される。プラットホーム４４の両端部４６は水平部材４２、４３を巻いて下がって締結具４８で固定される。水平部材４２、４３の両端部に連結された直立逆Ｕ型アーム５１、５２はハウジング１２の両側壁２６、２７近く位置する。Ｕ型ハンドル５６、５７をアーム５１、５２から外側に突出するようにアームそれぞれに固定すれば、これらハンドルによって手動で支持台２９および発振器１１を底面あるいはカーペット上に容易に移動することができる。側壁２７に設置された電気雌ソケット５８が、アーム５１が囲むエリアに面することで、アーム５１が発振器１１に電気を供給するためにソケット５８に挿入された雄プラグ(図示せず)を保護することができる。ハウジング１２の側壁２６には管型の空気排出口スリーブを設置する。胸部治療服３０につながったホース６１をスリーブに連結すれば、空気圧振動がホース６１を介して胸部治療服３０に伝達されて患者の身体に圧迫を加えることができる。
【００２１】
図３に示したように、胸部治療服３０は患者の胸６９全体を接触しつつ囲んで、患者の肺６６、６７と気道６８に対して矢印７１、７２方向に非常に速く、かつ反復的に圧迫を加える。圧迫に対する肺６６、６７と気道６８の反応で肺組織に反復的な収縮と膨脹が起きながら分泌物と粘液が除去される。胸腔は肺６６、６７、心臓６２、動脈６３、６４及び胸郭７０（rib cage）が入っている胸廓の上部分だけを占める。胸６９を早く圧迫すれば心臓６２と動脈６３、６４と胸腔内血管の血流が刺激される。胸郭７０は肺６６、６７と気道６８に対した圧迫を分散させるのに助けを与えることもする。
【００２２】
図５、図６に示したように、胸部治療服３０はエンドフラップ７４（end flap）が付いている長い矩形本体７３を具備する。図７、図８のように、本体７３のループ型織物材７７内側面に空気不透過性の柔軟な部材７６が付着される。この部材７６の外側面全体はループ型織物材７７で覆われる。部材７６にはループ繊維が埋め立てされたり固定されることができる。この部材７６は空気不透過性ウレタンプラスチックのような柔軟なプラスチック層である。この部材７６に他の種類のプラスチックや材料も用いることができる。再び図５、図６によれば、本体７３の長手方向の下端シーム(seam)およびシール７８（seal）と、長手方向の中間シーム(seam)およびシール７９、８１が３つの伸長した空気室８２、８３、８４を形成するが、これらシーム７８、７９、８１は超音波で溶接されるが、熱融着（heat seal）が用いられることもできる。本体７３の端部８６にあるシール８７、８８はシール７９、８１と一致して空気室８９〜９１を形成する。シール７９、８７とシール８１、８８は互いに離れている。本体７３の上端部９３から中間まで分離器９２がななめにのびて下がるが、この分離器９２により空気の流れが矢印９４、９６方向に分離されて空気室８２〜８４、８９〜９１に向かう（図９参照）。シール７８の底に固定された吸気コネクタ９７にホース６１を連結することができる。空気は吸気コネクタ９７を介して本体７３の中に入って行く。吸気コネクタ９７は本体７３に固定されたフランジ９８に結合された管である。他の種類のホース型コネクタを用いてホース６１を連結して本体７３に空気圧振動を起こすことができる。図１、図２に示したように、コネクタ９７はホース６１に連結され、胸部治療服３０は患者の胸部周囲に時計回りまたは反時計回りに着用される。胸部治療服３０が裏返して使われているとき吸気コネクタ９７をホース６１に連結する。
【００２３】
図５、図６、図８によれば、本体７３の上端部９３に形成されたアーチ形の一対の凹部９９、１０１は患者の腕の輪郭に一致して患者の胸に対する接触面を増やす効果を出す。凹部９９、１０１下に本体７３の側壁にあけられた複数個の小穴１０２〜１０７を介して空気室８２〜８４から空気が出ることができる。図８に示したように、これら穴１０５〜１０７は空気室８２〜８４両側にあけられていて、穴を介して空気が大気中に排出される。発振器１１は空気室８２〜８４に空気と空気圧振動を供給して、空気室内の空気圧を一定に維持する。
【００２４】
図１０によれば、本体７３の端部７４の両側面に一対のフックパッド１０８、１０９（hook pad）が裁縫線１１１で固定される。図５〜６によれば、これらフックパッド１０８、１０９はななめに配置された矩形の脱着可能ファスナー（fastener）である。本体７３の端部７４の両側に他の一対のフックパッド１１２、１１３が裁縫線１１４でさらに固定される。これらフックパッド１０８、１０９、１１２、１１３は超音波溶接や熱縫合で付着することができる。使用時、フックパッド１０８、１０９をループファブリック（loop fabric）につけて患者の胸部周囲に胸部治療服３０を時計方向で着る。本体７３が反対である時はフックパッド１１２、１１３をループファブリックにつけて胸部治療服３０を患者の胸部周囲に反時計方向で着る。
【００２５】
本明細書では患者の胸部に高い頻度で圧力を与える胸部治療服に連結された携帯用人体圧迫装置の実施態様を示し、記述してきた。構造、材料、構造の配置の変更は当業者によって、本発明から逸脱しない範囲でなされうるものである。
【図１】
2010540162.tif 000003
【図２】
2010540162.tif 000004
【図３】
2010540162.tif 000005
【図４】
2010540162.tif 000006
【図５】
2010540162.tif 000007
【図６】
2010540162.tif 000008
【図７】
2010540162.tif 000009
【図８】
2010540162.tif 000010
【図９】
2010540162.tif 000011
【図１０】
2010540162.tif 000012
【国際調査報告】
2010540162.tif 000013
2010540162.tif 000014